(57)【特許請求の範囲】
【請求項１】
第１の機器群を管理する第１の管理サーバと、
第２の機器群を管理し、個々の第２の機器を制御する第２の管理サーバとを備え、
前記第１の管理サーバは、
前記第１の機器群における個々の第１の機器の状態に応じて、当該第１の機器を制御対象とする制御要求を生成する第１の管理部と、
前記第１の機器群における個々の前記第１の機器と前記第２の機器の機能により一定の影響を受ける第１の機器ごとに前記第１の機器群を区分して設定されたゾーンとを対応付けた対応情報を格納した第１の格納部と、
前記第１の格納部に格納された前記対応情報に基づいて、前記第１の機器を制御対象とする前記制御要求を前記ゾーン単位で制御対象を指定した制御要求に変換する第１の変換部と、
前記第１の変換部により変換された制御要求を前記第２の管理サーバへ送信する送信部と、を備え、
前記第２の管理サーバは、
前記第１の管理サーバから前記制御要求を受信する受信部と、
前記第２の機器群における個々の前記第２の機器と前記ゾーンとを対応付けた対応情報を格納した第２の格納部と、
前記第２の格納部に格納された前記対応情報に基づいて、前記受信部により受信した前記制御要求を、当該制御要求において制御対象として指定された前記ゾーンに対して作用する第２の機器を制御対象とする制御要求に変換する第２の変換部と、
前記第２の変換部により変換された前記制御要求に基づいて、個々の前記第２の機器を制御する第２の管理部と、を備える、システム。
【請求項２】
前記第１の機器はコンピュータであり、前記第２の機器は空調装置である、請求項１に記載のシステム。
【請求項３】
第１の機器群を管理する第１の管理サーバと、
第２の機器群を管理する第２の管理サーバとを備え、
前記第２の管理サーバは、
前記第２の機器群における個々の第２の機器の状態に応じて、当該第２の機器に関連する第１の機器を制御対象とする制御要求を生成する管理部と、
前記第２の機器群における個々の前記第２の機器と当該第２の機器の機能により一定の影響を受ける前記第１の機器ごとに前記第１の機器群を区分して設定されたゾーンとを対応付けた対応情報を格納した格納部と、
前記格納部に格納された前記対応情報に基づいて、前記第２の機器を制御対象とする前記制御要求を前記ゾーン単位で制御対象を指定した制御要求に変換する変換部と、
前記変換部により変換された制御要求を前記第１の管理サーバへ送信する送信部と、を備え、
前記第１の管理サーバは、
前記第２の管理サーバから前記制御要求を受信する受信部と、
前記第１の機器群における個々の前記第１の機器と前記ゾーンとを対応付けた対応情報を格納した格納部と、
前記第１の管理サーバにおける前記格納部に格納された前記対応情報に基づいて、前記受信部により受信した前記制御要求を、当該制御要求において制御対象として指定された前記ゾーンに存在する第１の機器を制御対象とする制御要求に変換する変換部と、
前記第１の管理サーバにおける前記変換部により変換された前記制御要求に基づいて、個々の前記第１の機器を制御する管理部と、を備える、システム。
【請求項４】
前記第１の機器は電源ユニットであり、前記第２の機器はコンピュータである、請求項３に記載のシステム。
【請求項５】
第１の機器群を管理する第１の管理サーバで生成された制御要求を取得し変換して送信する第１のインタフェース部と、
前記制御要求を受信して変換し、第２の機器群を管理する第２の管理サーバに渡す第２のインタフェース部とを備え、
前記第１のインタフェース部は、
前記第１の機器群における個々の第１の機器と前記第２の機器群における第２の機器の機能により一定の影響を受ける第１の機器ごとに前記第１の機器群を区分して設定されたゾーンとを対応付けた対応情報を格納した第１の格納部と、
前記第１の格納部に格納された前記対応情報に基づいて、前記制御要求を、前記ゾーンを制御対象として指定した制御要求に変換する第１の変換部と、を備え、
第２のインタフェース部は、
前記第２の機器群における個々の第２の機器と前記ゾーンとを対応付けた対応情報を格納した第２の格納部と、
前記第２の格納部に格納された前記対応情報に基づいて、前記第１のインタフェース部の前記第１の変換部により変換された前記制御要求を、当該制御要求において制御対象として指定された前記ゾーンに対して作用する第２の機器を制御対象とする制御要求に変換する第２の変換部と、を備える、インタフェース。
【請求項６】
前記第１の機器はコンピュータであり、前記第２の機器は空調装置である、請求項５に記載のインタフェース。
【請求項７】
第１の機器群に対する制御要求を受信して変換し、当該第１の機器群を管理する第１の管理サーバに渡す第１のインタフェース部と、
第２の機器群を管理する第２の管理サーバで生成された前記第１の機器群に対する制御要求を取得し変換して前記第１のインタフェース部へ送信する第２のインタフェース部とを備え、
前記第２のインタフェース部は、
前記第２の機器群における個々の第２の機器と当該第２の機器の機能により一定の影響を受ける第１の機器ごとに前記第１の機器群を区分して設定されたゾーンとを対応付けた対応情報を格納した格納部と、
前記格納部に格納された前記対応情報に基づいて、前記制御要求を、前記ゾーンを制御対象として指定した制御要求に変換する変換部と、を備え、
第１のインタフェース部は、
前記第１の機器群における個々の第１の機器と前記ゾーンとを対応付けた対応情報を格納した格納部と、
前記第１のインタフェース部における前記格納部に格納された前記対応情報に基づいて、前記第２のインタフェース部における前記変換部により変換された前記制御要求を、当該制御要求において制御対象として指定された前記ゾーンに存在する第１の機器を制御対象とする制御要求に変換する変換部と、を備える、インタフェース。
【請求項８】
前記第１の機器は電源ユニットであり、前記第２の機器はコンピュータである、請求項７に記載のインタフェース。
【発明の詳細な説明】
【技術分野】
【０００１】
本発明は、ＩＴ機器とＩＴ機器が設置された場所（部屋）のファシリティ機器とを連携させて制御するシステムおよびそのインタフェースに関する。
【背景技術】
【０００２】
データ・センタ等のように多くのＩＴ機器群が設置された場所では、ＩＴ機器を動作させるのに好ましい環境を保つように、空調機器や電源ユニット等のいわゆるファシリティ機器が制御される。具体的には、例えば、各ＩＴ機器を十分に冷却するように空調を調整したり、各ＩＴ機器に安定的に電力を供給したりすることが行われる。これにより、ＩＴ機器の安定稼働が図られる。
【０００３】
ファシリティ機器には、空調装置や電源ユニット、照明装置など、種々の機器が存在する。そして、これらのファシリティ機器を効率良く管理し制御するため、種々のファシリティ機器を統合的に制御するシステムが考えられている（例えば、特許文献１参照）。特許文献１には、ビル内の種々のファシリティ機器を統合的に制御するビル管理システムが記載されている。
【０００４】
【特許文献１】特開平１０−９８７７８号公報
【発明の開示】
【発明が解決しようとする課題】
【０００５】
上述したように、多くのＩＴ機器が設置され、これらの安定稼働が求められるデータ・センタ等では、ファシリティ機器を適切に制御することが重要である。しかし、ＩＴ機器とファシリティ機器とが独立に管理、制御されているシステムでは、ファシリティ機器を適切かつ効率的に制御することは困難である。例えば、空調装置の制御においては、常時稼働し続けるサーバ装置が熱により暴走したり停止したりすることを防止するため、必要以上の冷却が行われる傾向がある。サーバ装置の暴走や停止を防止しなければならないことは当然であるが、過剰な冷却を行うようなファシリティ機器の制御は、エネルギー消費量の無駄な増大を招き、効率が良くない。
【０００６】
一方、ＩＴ機器群の管理システム（ＩＴ管理システム）とファシリティ機器の管理システム（ファシリティ管理システム）とを連携させて、効率の良いファシリティ機器の制御を行うことが考えられる。しかし、上述のようにファシリティ機器には種々の機器が存在し、ファシリティ管理システムによる管理方法も様々である。また、個々のＩＴ機器が個々のファシリティ機器からどのような影響を受けるかといった対応関係も複雑である。そのため、ＩＴ管理システムとファシリティ管理システムとを連携させることは必ずしも容易ではない。
【０００７】
本発明は、以上の課題に鑑みてなされたものであり、ＩＴ管理システムとファシリティ管理システムとを連携させ、ＩＴ機器およびファシリティ機器の適切かつ効率の良い動作制御を実現することを目的とする。
また、本発明は、ＩＴ管理システムとファシリティ管理システムとを連携させるためのインタフェースを提供することを他の目的とする。
【課題を解決するための手段】
【０００８】
上記の目的を達成するため、本発明は、次のようなシステムとして構成される。このシステムは、第１の機器群を管理し、管理下にある第１の機器の状態に応じて、第１の機器群を所定の条件に基づいて区分して設定されたゾーンを制御対象として指定された制御要求であって、このゾーンに存在する第１の機器の状態を変更するための制御要求を送信する第１の管理サーバと、第２の機器群を管理し、この制御要求を受信し、この制御要求において制御対象として指定されたゾーンに対して作用する第２の機器を制御する第２の管理サーバと、を備える。
【０００９】
また、他の本発明は、次のようなシステムとして構成される。このシステムは、第１の機器群を管理する第１の管理サーバと、第２の機器群を管理する第２の管理サーバとを備える。そして、第２の管理サーバは、管理下にある第２の機器の状態に応じて、第１の機器群を所定の条件に基づいて区分して設定されたゾーンを制御対象として指定された制御要求であって、ゾーンに存在する第１の機器の状態を変更するための制御要求を送信する。第１の管理サーバは、この制御要求を受信し、この制御要求において制御対象として指定されたゾーンに存在する第１の機器を制御する。
【００１０】
さらに本発明は、次のようなインタフェースとしても実現される。このインタフェースは、第１の機器群を管理する第１の管理サーバで生成された制御要求を取得して送信する第１のインタフェース部と、この制御要求を受信し、第２の機器群を管理する第２の管理サーバに渡す第２のインタフェース部とを備える。そして、第１のインタフェース部は、第１の機器群における個々の第１の機器とこの第１の機器群を所定の条件に基づいて区分して設定されたゾーンとを対応付けた対応情報を格納した第１の格納部と、この第１の格納部に格納された対応情報に基づいて、制御要求を、ゾーンを制御対象として指定した制御要求に変換する第１の変換部とを備える。第２のインタフェース部は、第２の機器群における個々の第２の機器とゾーンとを対応付けた対応情報を格納した第２の格納部と、この第２の格納部に格納された対応情報に基づいて、第１のインタフェース部の第１の変換部により変換された制御要求を、この制御要求において制御対象として指定されたゾーンに対して作用する第２の機器を制御対象とする制御要求に変換する第２の変換部とを備える。
【００１１】
さらにまた、本発明は、次のようなインタフェースとしても実現される。このインタフェースは、第１の機器群に対する制御要求を受信し、この第１の機器群を管理する第１の管理サーバに渡す第１のインタフェース部と、第２の機器群を管理する第２の管理サーバで生成された第１の機器群に対する制御要求を取得して第１のインタフェース部へ送信する第２のインタフェース部とを備える。そして、第２のインタフェース部は、第２の機器群における個々の第２の機器と第１の機器群を所定の条件に基づいて区分して設定されたゾーンとを対応付けた対応情報を格納した格納部と、この格納部に格納された対応情報に基づいて、制御要求を、ゾーンを制御対象として指定した制御要求に変換する変換部とを備える。第１のインタフェース部は、第１の機器群における個々の第１の機器とゾーンとを対応付けた対応情報を格納した格納部と、第１のインタフェース部における格納部に格納された対応情報に基づいて、第２のインタフェース部における変換部により変換された制御要求を、この制御要求において制御対象として指定されたゾーンに存在する第１の機器を制御対象とする制御要求に変換する変換部とを備える。
【発明の効果】
【００１２】
以上のように構成された本発明によれば、ＩＴ管理システムとファシリティ管理システムとを連携させ、ＩＴ機器およびファシリティ機器の適切かつ効率の良い動作制御が実現される。
また、ＩＴ管理システムとファシリティ管理システムとを連携させるためのインタフェースを提供することができる。
【発明を実施するための最良の形態】
【００１３】
以下、添付図面を参照して、本発明の実施形態について詳細に説明する。
＜システム構成＞
図１は、本実施形態が適用されるＩＴ管理システムおよびファシリティ管理システムの全体構成を示す図である。
図１に示すように、本実施形態のシステムは、ＩＴ機器２００を管理するＩＴ管理サーバ１００と、ファシリティ機器４００を管理するファシリティ管理サーバ３００とを備えて構成される。ＩＴ管理サーバ１００には、複数のＩＴ機器２００（各種のサーバ等）が管理されている。ＩＴ管理サーバ１００および各ＩＴ機器２００は、既存の各種のＬＡＮ（Local Area Network）により接続される。ファシリティ管理サーバ３００には、複数のファシリティ機器４００が管理されている。ファシリティ管理サーバ３００および各ファシリティ機器４００は、既存のＢＡＣｎｅｔ（Building Automation and Control Network）等のネットワークにより接続される。なお、図１においては、簡単のため、ファシリティ管理サーバ３００を１台のみ記載し、このファシリティ管理サーバ３００に種々のファシリティ機器４００が管理されるように記載している。しかし実際には、ファシリティ機器４００の種類に応じて個別にファシリティ管理サーバ３００が設けられ、この複数のファシリティ管理サーバ３００がＩＴ管理サーバ１００と接続する構成としても良い。
【００１４】
図２は、本実施形態による連携システムの機能構成を示す図である。
連携システムは、ＩＴ管理システム側のインタフェースとファシリティ管理システム側のインタフェースとで構成される。図２に示す構成例では、ＩＴ管理サーバ１００およびファシリティ管理サーバ３００に、このインタフェース機能が設けられることによって、連携システムが構成される。
【００１５】
図２において、ＩＴ管理サーバ１００は、ＩＴ機器２００を管理し制御するためのＩＴ管理部１１０とインタフェース部１２０とを備える。
ＩＴ管理部１１０は、既存のＩＴ管理サーバに相当する機能を有し、接続されているＩＴ機器２００の状態を管理し、動作を制御する。また、ＩＴ管理部１１０は、ＩＴ機器２００の状態に応じて、ファシリティ管理サーバ３００に対して制御要求を行う。
【００１６】
インタフェース部１２０は、変換部１２１と、ＩＴゾーン・データベース（ＤＢ）１２２と、ネットワーク・インタフェース（ＩＦ）１２３とを備える。このインタフェース部１２０は、ＩＴ管理部１１０から受け取った制御要求を、変換部１２１により変換し、ネットワークＩＦ１２３を介してファシリティ管理サーバ３００に送信する。また、ネットワークＩＦ１２３を介してファシリティ管理サーバ３００から受信した制御要求を変換部１２１により変換してＩＴ管理部１１０に渡す。ＩＴゾーンＤＢ１２２には、変換部１２１の制御要求の変換に用いられるゾーンに関する情報が格納されている。ゾーンについては後述する。
【００１７】
また、図２において、ファシリティ管理サーバ３００、ファシリティ機器４００を管理し制御するためのファシリティ管理部３１０とインタフェース部３２０とを備える。
ファシリティ管理部３１０は、既存のファシリティ管理サーバに相当する機能を有し、接続されているファシリティ機器４００を管理し、動作を制御する。また、ファシリティ管理部３１０は、必要に応じてＩＴ管理サーバ１００に対して制御要求を行う。
【００１８】
インタフェース部３２０は、変換部３２１と、ファシリティ・ゾーン・データベース（ＤＢ）３２２と、システム・アダプタ３２３と、ネットワーク・インタフェース（ＩＦ）３２４とを備える。このインタフェース部３２０は、システム・アダプタ３２３を介してファシリティ管理部３１０から受け取った制御要求を、変換部３２１により変換し、ネットワークＩＦ３２４を介してＩＴ管理サーバ１００に送信する。また、ネットワークＩＦ３２４を介してＩＴ管理サーバ１００から受信した制御要求を、変換部３２１により変換し、システム・アダプタ３２３を介してファシリティ管理サーバ３００に渡す。ファシリティ管理サーバ３００の入出力インタフェースはファシリティ機器４００の種類等に応じて異なるため、システム・アダプタ３２３により適宜変換されている。ファシリティ・ゾーンＤＢ３２２には、変換部３２１の制御要求の変換に用いられるゾーンに関する情報が格納されている。ゾーンについては後述する。
【００１９】
図３は、ＩＴ管理サーバ１００およびファシリティ管理サーバ３００のハードウエア構成例を示す図である。
図３に示すコンピュータ１０は、演算手段であるＣＰＵ（Central Processing Unit）１０ａと、記憶手段であるメイン・メモリ１０ｃおよび磁気ディスク装置（ＨＤＤ：Hard Disk Drive）１０ｇを備える。また、ネットワークを介して外部装置に接続するためのネットワーク・インタフェース・カード１０ｆと、表示出力を行うためのビデオ・カード１０ｄおよび表示装置１０ｊと、音声出力を行うための音声機構１０ｈとを備える。さらに、キーボードやマウス等の入力デバイス１０ｉを備える。
【００２０】
図３に示すように、メイン・メモリ１０ｃおよびビデオ・カード１０ｄは、システム・コントローラ１０ｂを介してＣＰＵ１０ａに接続されている。また、ネットワーク・インタフェース・カード１０ｆ、磁気ディスク装置１０ｇ、音声機構１０ｈおよび入力デバイス１０ｉは、Ｉ／Ｏコントローラ１０ｅを介してシステム・コントローラ１０ｂと接続されている。各構成要素は、システム・バスや入出力バス等の各種のバスによって接続される。例えば、ＣＰＵ１０ａとメイン・メモリ１０ｃの間は、システム・バスやメモリ・バスにより接続される。また、ＣＰＵ１０ａと磁気ディスク装置１０ｇ、ネットワーク・インタフェース・カード１０ｆ、ビデオ・カード１０ｄ、音声機構１０ｈ、入力デバイス１０ｉ等との間は、ＰＣＩ（Peripheral Components Interconnect）、ＰＣＩ  Ｅｘｐｒｅｓｓ、シリアルＡＴＡ（AT Attachment）、ＵＳＢ（Universal Serial Bus）、ＡＧＰ（Accelerated Graphics Port）等の入出力バスにより接続される。
【００２１】
なお、図３は、本実施形態が適用されるのに好適なＰＣのハードウエア構成を例示するに過ぎず、図示の構成に限定されないことは言うまでもない。例えば、ビデオ・カード１０ｄを設ける代わりに、ビデオメモリのみを搭載し、ＣＰＵ１０ａにてイメージ・データを処理する構成としても良い。また、音声機構１０ｈを独立した構成とせず、システム・コントローラ１０ｂやＩ／Ｏコントローラ１０ｅを構成するチップセットの機能として備えるようにしても良い。また、補助記憶装置として磁気ディスク装置１０ｇの他に、各種の光学ディスクやフレキシブル・ディスクをメディアとするドライブを設けても良い。表示装置１０ｊとしては、主として液晶ディスプレイが用いられるが、その他、ＣＲＴディスプレイやプラズマ・ディスプレイ等、任意の方式のディスプレイを用いて良い。
【００２２】
＜ゾーンの概念の説明＞
本実施形態では、制御対象であるファシリティ機器４００やＩＴ機器２００を特定する単位として、ゾーンという概念を用いる。
データ・センタには複数のＩＴ機器２００が設置されている。そのため、個々のＩＴ機器２００に対して個別にファシリティ機器４００の作用を働かせるように制御することは容易ではない。また、特定のＩＴ機器２００に対して所望の作用を働かせるように、個々のファシリティ機器４００を特定し、その動作を制御することも容易ではない。そこで、ゾーンと呼ぶ一定の範囲を単位として、このゾーンに対して作用するファシリティ機器４００の制御を行うこととする。
【００２３】
このゾーンは、ＩＴ機器２００に対してファシリティ機器４００の作用による一定の影響が及ぶ範囲である。ゾーンの範囲は、ＩＴ機器２００の配置、ファシリティ機器４００の配置や性能、ＩＴ機器２００とファシリティ機器４００との接続関係などに基づいて定まる。したがって、ゾーンは、原則としてファシリティ機器４００の種類ごとに設定される。具体的には、例えばファシリティ機器４００が空調装置である場合、空調装置を制御することにより個別に温度調整が可能な範囲を１つのゾーンとする。また、ファシリティ機器４００が電源ユニットである場合、個々の電源ユニットによって電力供給量を制御できる範囲、すなわち個々の電源ユニットに接続されたＩＴ機器２００群を１つのゾーンとする。
【００２４】
ＩＴ管理サーバ１００のインタフェース部１２０に設けられたＩＴゾーンＤＢ１２２には、ＩＴ管理サーバ１００の管理下にあるＩＴ機器２００が、各々どのゾーンに含まれているかを示す対応情報が格納されている。上述したように、ゾーンはファシリティ機器４００の種類ごとに設定されるため、ＩＴ機器２００とゾーンとの対応関係についても、ファシリティ機器４００の種類ごとに設定される。
【００２５】
また、ファシリティ管理サーバ３００のインタフェース部３２０に設けられたファシリティ・ゾーンＤＢ３２２には、ファシリティ管理サーバ３００の管理下にあるファシリティ機器４００に関して設定された各ゾーンとファシリティ機器４００との対応情報が格納されている。後述するように、ファシリティ機器４００の種類によっては、１つのゾーンに複数のファシリティ機器４００が対応したり、１つのファシリティ機器４００が複数のゾーンに対応したりする場合もある。
【００２６】
図４は、ファシリティ機器４００が空調装置である場合のゾーンの例を示す図である。
図４において、ＩＴ機器２００群は、ゾーン１からゾーン４までの４つのゾーンに区分されている。また、ファシリティ機器４００である空調装置（ＣＲＡＣ：Computer Room Air Conditioner）が、ＣＲＡＣ１からＣＲＡＣ３までの３台設置されている。そして、ゾーン１は、ＣＲＡＣ１の冷却作用の影響を受ける。ゾーン２は、ＣＲＡＣ１およびＣＲＡＣ２の冷却作用の影響を受ける。ゾーン３は、ＣＲＡＣ２の冷却作用の影響を受ける。ゾーン４は、ＣＲＡＣ３の冷却作用の影響を受ける。すなわち、例えばゾーン１に存在するＩＴ機器２００の温度を下げたい場合は、ＣＲＡＣ１を制御して冷却作用を強めて対応することとなる。
【００２７】
また、図４の例では、ゾーン１はＣＲＡＣ１のみの作用の影響を受け、ゾーン３はＣＲＡＣ２のみの作用の影響を受けるが、ゾーン２はＣＲＡＣ１およびＣＲＡＣ２の双方の作用の影響を受ける。そのため、ゾーン２は、ゾーン１およびゾーン３とは別の独立したゾーンとして設定されている。このように、ファシリティ機器４００の種類にもよるが、ゾーンとファシリティ機器４００とは、必ずしも１対１で対応するものではない。
【００２８】
図５は、ファシリティ機器４００が電源ユニットである場合のゾーンの例を示す図である。
図５において、ＩＴ機器２００群は、ゾーンＡからゾーンＤまでの４つのゾーンに区分されている。また、ファシリティ機器４００である電源ユニットが、電源ユニットＡから電源ユニットＤまでの４台設置されている。各ゾーンに存在するＩＴ機器２００と電源ユニットとは電力線により物理的に接続される。そのため、ファシリティ機器４００が電源ユニットである場合は、ゾーンとファシリティ機器４００とは１対１で対応する。
【００２９】
＜制御要求の転送動作＞
次に、ＩＴ管理サーバ１００とファシリティ管理サーバ３００との間で行われる制御要求の転送の動作について説明する。
まず、ＩＴ管理サーバ１００からファシリティ管理サーバ３００へ制御要求を行う場合の動作について説明する。具体例として、図４に示したようにファシリティ機器４００が空調装置であり、所定のＩＴ機器２００の温度調整を行うために空調装置の制御を行う場合について説明する。
【００３０】
所定のＩＴ機器２００において温度調整のために冷却を行う必要があるとする。ＩＴ機器２００は、自装置に搭載されたセンサ等を用いて、自装置の内部温度等を取得し、ＩＴ管理サーバ１００に通知する。ＩＴ管理サーバ１００のＩＴ管理部１１０は、この通知を受け付けると、当該ＩＴ機器２００を冷却するための制御要求を生成しインタフェース部１２０に送出する。ここで、冷却が必要なＩＴ機器２００は、各ＩＴ機器２００に対して個別に付与されたＩＤ（シリアル・ナンバー等）により特定される。
【００３１】
インタフェース部１２０の変換部１２１は、ＩＴ管理部１１０から送出された制御要求を受け付け、ＩＴゾーンＤＢ１２２を参照して、冷却が必要なＩＴ機器２００が含まれるゾーンを特定する。ＩＴゾーンＤＢ１２２には、ファシリティ機器４００の種類ごとに設定されたゾーンに関する情報が格納されている。そこで、変換部１２１は、ＩＴゾーンＤＢ１２２に格納された情報のうち空調装置とＩＴ機器２００との関係で設定されたゾーンに関する情報を選択し、所望のゾーンを特定する。
【００３２】
変換部１２１は、ゾーンを特定した後、制御要求を、特定されたゾーンに対する制御要求に変換する。具体的には、所定のＩＴ機器２００を対象とする冷却の要求を、当該ＩＴ機器２００が存在するゾーンを対象とする冷却の要求に書き換える。変換された制御要求は、ネットワークＩＦ１２３を介してファシリティ管理サーバ３００へ送信される。
【００３３】
図６は、ゾーンに対する要求に変換された制御要求のデータ構造の例を示す図である。
図６に示す例では、ゾーンごとに、そのゾーンに対する設定情報（本動作例では設定温度）と通知情報とが記録されている。通知情報としては、設定が変更されたことを示す内容や、緊急を要する場合の警告等が記録される。
なお、制御要求の転送の方式は特に限定されない。例えば、ＩＴ管理サーバ１００の主導でファシリティ管理サーバ３００へ制御要求を送信しても良いし（プッシュ型）、定期的または適当なタイミングでファシリティ管理サーバ３００からＩＴ管理サーバ１００へ制御要求がないか問い合わせて取得するようにしても良い（プル型）。また、制御要求を構成する設定情報や通知情報を個別にＩＴ管理サーバ１００からファシリティ管理サーバ３００へ送信する方式や、ファシリティ管理サーバ３００がＩＴ管理サーバ１００から読み取る方式としても良い。
【００３４】
ファシリティ管理サーバ３００のインタフェース部３２０は、上記のようにしてＩＴ管理サーバ１００から送信された制御要求を、ネットワークＩＦ３２４を介して受信する。インタフェース部３２０の変換部３２１は、ファシリティ・ゾーンＤＢ３２２を参照して、制御要求において指定されたゾーンに対応する（作用する）ファシリティ機器４００を特定する。ファシリティ機器４００の特定は、例えばＢＡＣｎｅｔにおけるＢＡＣｎｅｔオブジェクトＩＤ等を用いて行われる。ここでは、当該ゾーンに含まれるＩＴ機器２００に対して作用する（すなわち冷却可能な）空調装置が特定される。
【００３５】
変換部３２１は、ファシリティ機器４００を特定した後、制御要求を、特定されたファシリティ機器４００に対する制御要求に変換する。そして、変換された制御要求を、システム・アダプタ３２３を介してファシリティ管理部３１０に渡す。ファシリティ管理部３１０は、受け取った制御要求に基づいて、ファシリティ機器４００の動作を制御する。ここでは、制御要求において特定された空調装置の風量調節などが行われる。
【００３６】
この結果、冷却が必要なＩＴ機器２００を含む一定の範囲（ゾーン）を冷却可能な空調装置が制御されて、当該ＩＴ機器２００が冷却されることとなる。上述したように、所定のゾーンに対して作用するファシリティ機器４００が複数存在するために、変換部３２１で変換された制御要求において複数のファシリティ機器４００が特定される場合がある。この場合、具体的に個々のファシリティ機器４００をどのように制御するかについては、ファシリティ管理部３１０の本来の制御機能に基づいて行われる。例えば、各空調装置の設定温度を平均的に下げたり、既に特定の空調装置の設定温度が他の空調装置の設定温度よりも低い場合は他の空調装置の設定温度のみを下げたりするような、柔軟な制御を適宜行うことが可能である。
【００３７】
次に、ファシリティ管理サーバ３００からＩＴ管理サーバ１００へ制御要求を行う場合の動作について説明する。具体例として、図５に示したようにファシリティ機器４００が電源ユニットであり、ＩＴ機器２００への電力供給量を制御する場合が考えられる。例えば、電源ユニットのパワーダウン等により電力供給量を制限する必要が生じた場合に、ファシリティ管理サーバ３００からＩＴ管理サーバ１００へ、電力使用量を低減するように要求する場合などである。以下、ファシリティ機器４００が電源ユニットである場合を例として説明する。
【００３８】
所定の電源ユニットにおいて電力供給量を制限する必要が生じたとする。ファシリティ管理サーバ部３００のファシリティ管理部３１０は、そのような電源ユニット（以下、対象電源ユニットと呼ぶ）を検知した場合、この対象電源ユニットの電力供給量の低下に対応するようにＩＴ機器２００の電力使用量を低減するための制御要求を生成し、インタフェース部３２０に送出する。電源ユニットはＩＴ機器２００に物理的に接続されているので、検知された対象電源ユニットから電力供給を受けているＩＴ機器２００群の電力使用量が削減されることとなる。しかし、ファシリティ管理部３１０は、各電源ユニットが電力を供給しているＩＴ機器２００を具体的に認識していない。そこで、ファシリティ管理部３１０は、電力供給量を制限する必要のある対象電源ユニットが特定された制御要求を生成する。
【００３９】
インタフェース部３２０の変換部３２１は、システム・アダプタ３２３を介してファシリティ管理部３１０から送出された制御要求を受け付け、ファシリティ・ゾーンＤＢ３２２を参照して、対象電源ユニットに対応するゾーンを特定する。そして、変換部３２１は、受け付けた制御要求を、特定されたゾーンに対する制御要求に変換する。具体的には、対象電源ユニットが特定された制御要求を、当該対象電源ユニットにより電力供給されているゾーンを対象とする電力使用量の削減要求に書き換える。変換された制御要求のデータ構造は、図６に示した例と同様である。変換された制御要求は、ネットワークＩＦ３２４を介してＩＴ管理サーバ１００へ送信される。
【００４０】
ＩＴ管理サーバ１００のインタフェース部１２０は、上記のようにしてファシリティ管理サーバ３００から送信された制御要求を、ネットワークＩＦ１２３を介して受信する。インタフェース部１２０の変換部１２１は、ＩＴゾーンＤＢ１２２を参照して、制御要求において指定されたゾーンに含まれるＩＴ機器２００を特定する。ここでは、上記の対象電源ユニットにより電力供給されているＩＴ機器２００が特定される。
【００４１】
変換部１２１は、ＩＴ機器２００を特定した後、制御要求を、特定されたＩＴ機器２００に対する制御要求に変換する。そして、変換された制御要求をＩＴ管理部１１０に渡す。ＩＴ管理部１１０は、受け取った制御要求に基づいて、ＩＴ機器２００の動作を制御する。具体的には、制御要求により要求された電力使用量となるように、例えば、ＩＴ機器２００に対して動作モードを変更したり、ゾーンにおける一部のＩＴ機器２００の電源を切ったりする。ＩＴ機器２００の種類によっては、処理能力を低下させたり機能を制限したりすることにより消費電力を低減させる動作モード（省電力モード）の設定が可能なものがある。このようなＩＴ機器２００では、動作モードを変更することで、制御要求に応じた電力使用量の削減に寄与することができる。また、ＩＴ機器２００群の利用態様によっては、一部のＩＴ機器２００が全く使用されない、または使用しなくても問題が生じない場合もあり得る。そのようなシステムでは、一部のＩＴ機器２００に対してＩＴ管理部１１０の管理下で電源を切ることで、制御要求に応じた電力使用量の削減に寄与することができる。
【００４２】
以上、ファシリティ機器４００が空調装置である場合と、電源ユニットである場合とを例として、ＩＴ管理サーバ１００からファシリティ管理サーバ３００へ制御要求を行う場合と、ファシリティ管理サーバ３００からＩＴ管理サーバ１００へ制御要求を行う場合とについて、それぞれ制御要求の転送動作を説明した。しかしながら、本発明は、これらの具体的なシステム構成および動作例に限定されるものでないことは言うまでもない。
【００４３】
上述したように、個々のファシリティ機器４００が個々のＩＴ機器２００に対してどのように作用を働かせるかを、ＩＴ管理サーバ１００またはファシリティ管理サーバ３００が認識することは容易ではない。本実施形態は、このようなＩＴ管理サーバ１００による管理システムとファシリティ管理サーバ３００による管理システムとを、連携させるインタフェースを提供するものであり、ファシリティ機器４００の種類は問わない。
【００４４】
本実施形態により採用されたゾーンは、ファシリティ機器４００の機能により一定の影響を受けるＩＴ機器２００群の範囲を特定するものである。上述した空調装置や電源ユニットの例でわかるように、ファシリティ機器４００の種類に応じて設定されるゾーンの範囲も異なるものとなる。また、各ゾーンに対応するＩＴ機器２００の情報はＩＴ管理システム側でのみ使用され、各ゾーンに対応するファシリティ機器４００の情報はファシリティ管理システムでのみ使用されるため、これらの情報はそれぞれのシステム内でのみ管理されれば良い。そして、実際に制御要求を満足するためにファシリティ機器４００やＩＴ機器２００をどのように制御するかについては、既存のファシリティ管理サーバに対応するファシリティ管理部３１０や、既存のＩＴ管理サーバに対応するＩＴ管理部１１０に任される。すなわち、本実施形態では、ＩＴ機器２００とファシリティ機器４００の機能との関係でゾーンが設定され、かつＩＴ機器２００およびファシリティ機器４００とゾーンとの対応関係が決定されていれば、様々なファシリティ機器４００の管理システムとＩＴ管理システムとを任意に連携させることが可能である。なお、ＩＴ機器２００およびファシリティ機器４００とゾーンとの対応関係は、上述したデータベース（ＩＴゾーンＤＢ１２２およびファシリティ・ゾーンＤＢ３２２）やその他のデータ保持手段により保持されていれば良い。
【００４５】
本実施形態では、ＩＴ管理サーバ１００が既存のＩＴ管理サーバに対応するＩＴ管理部１１０とインタフェース部１２０とを備え、ファシリティ管理サーバ３００が既存のファシリティ管理サーバに対応するファシリティ管理部３１０とインタフェース部３２０とを備える構成とした。しかしながら、本発明は、このようなハードウエア構成に限定されることなく、本発明の技術的思想を実現し得る任意の構成を採り得る。例えば、ＩＴ管理サーバおよびファシリティ管理サーバには既存のサーバを用い、これらの間に本実施形態のインタフェース部１２０の機能を備えたサーバおよびインタフェース部３２０の機能を備えたサーバを介在させる構成としても良い。
【００４６】
図７は、インタフェース用のサーバを別個に設けたシステム構成の例を示す図である。
図７において、ＩＴ管理サーバ１３０は、図２の構成におけるＩＴ管理サーバ１００のＩＴ管理部１１０に相当する。インタフェース・サーバ１４０は、図２の構成におけるインタフェース部１２０に相当する。インタフェース・サーバ１４０の機能については、図２のインタフェース部１２０の各機能と同一の符号を付して説明を省略する。ＩＴ管理サーバ１３０とインタフェース・サーバ１４０との間のインタフェースは、特に限定されず、任意で良い。また、ファシリティ管理サーバ３３０は、図２の構成におけるファシリティ管理サーバ３００のファシリティ管理部３１０に相当する。インタフェース・サーバ３４０は、図２の構成におけるインタフェース部３２０に相当する。インタフェース・サーバ３４０の機能については、図２のインタフェース部３２０の各機能と同一の符号を付して説明を省略する。ファシリティ管理サーバ３３０とインタフェース・サーバ３４０との間のインタフェースは、通常はファシリティ管理サーバ３３０により規定されることとなるが、必ずしもこれに限定するものではない。
【図面の簡単な説明】
【００４７】
【図１】本実施形態が適用されるＩＴ管理システムおよびファシリティ管理システムの全体構成を示す図である。
【図２】本実施形態による連携システムの機能構成を示す図である。
【図３】本実施形態におけるＩＴ管理サーバおよびファシリティ管理サーバのハードウエア構成例を示す図である。
【図４】本実施形態において、ファシリティ機器が空調装置である場合のゾーンの例を示す図である。
【図５】本実施形態において、ファシリティ機器が電源ユニットである場合のゾーンの例を示す図である。
【図６】ゾーンに対する要求に変換された制御要求のデータ構造の例を示す図である。
【図７】本発明の他の実施形態による連携システムの機能構成を示す図である。
【符号の説明】
【００４８】
１００…ＩＴ管理サーバ、１１０…ＩＴ管理部、１２０…インタフェース部、１２１…変換部、１２２…ＩＴゾーン・データベース（ＤＢ）、１２３…ネットワーク・インタフェース（ＩＦ）、２００…ＩＴ機器、３００…ファシリティ管理サーバ、３１０…ファシリティ管理部、３２０…インタフェース部、３２１…変換部、３２２…ファシリティ・ゾーン・データベース（ＤＢ）、３２３…システム・アダプタ、３２４…ネットワーク・インタフェース（ＩＦ）、４００…ファシリティ機器
【図１】
0005078561.tif 000002
【図２】
0005078561.tif 000003
【図３】
0005078561.tif 000004
【図４】
0005078561.tif 000005
【図５】
0005078561.tif 000006
【図６】
0005078561.tif 000007
【図７】
0005078561.tif 000008